(57)【要約】      （修正有）【課題】アタッチメント取付作業を簡単に実行できる建設機械のアタッチメント取付け治具を提供する。【解決手段】固定アゴ側ピン収容部１ａ３０と可動アゴ側ピン収容部１ｂ３０とは、それぞれ、固定アゴ側連結ピンと可動アゴ側連結ピンとを同じ側から収容するように開口している一方、固定アゴ側閉じ体１ａ３３と可動アゴ側閉じ体１ｂ３３は、固定アゴ体１ａと可動アゴ体１ｂに回動可能に支持されており、固定アゴ側閉じ体には、固定アゴ側連結ピンが固定アゴ側閉じ体ピン当接部１ａ３３ｃを押し回動させて固定アゴ側連結ピンを挟持するように構成している一方、可動アゴ側閉じ体には、可動アゴ側連結ピンが可動アゴ側閉じ体ピン当接部を押し回動させて可動アゴ側連結ピンを挟持するように構成する。【選択図】図２
0003232525.tif 000002
【実用新案登録請求の範囲】
【請求項１】
バケット等の各種アタッチメントに所定間隔を空けて設けられた固定アゴ側連結ピンと可動アゴ側連結ピンとをそれぞれ建設機械の作動アーム先端部に取り付けられた固定アゴ体の固定アゴ側ピン収容部と、前記建設機械の作動アームに設けられたバケットシリンダから伸縮するピストン先端部にピストン側リンクを介して取り付けられた可動アゴ体の可動アゴ側ピン収容部とに収容させた後、前記固定アゴ側ピン収容部の開口部と前記可動アゴ側ピン収容部の開口部とをそれぞれ固定アゴ側閉じ体と可動アゴ側閉じ体とによって閉じてアタッチメントを取付ける建設機械のアタッチメント取付け冶具であって、
前記固定アゴ側ピン収容部と前記可動アゴ側ピン収容部とは、それぞれ、前記固定アゴ側連結ピンと前記可動アゴ側連結ピンとを同じ側から収容するように開口している一方、
前記固定アゴ側閉じ体と前記可動アゴ側閉じ体は、それぞれ、前記固定アゴ体と前記可動アゴ体に回動可能に支持されており、
前記固定アゴ側閉じ体には、前記固定アゴ側ピン収容部に前記固定アゴ側連結ピンを収容する際、前記固定アゴ側ピン収容部に向かおうとする前記固定アゴ側連結ピンが当該固定アゴ側ピン収容部に露出する固定アゴ側閉じ体ピン当接部を押し回動させて前記固定アゴ体の固定アゴ側ピン挟持部との間で前記固定アゴ側連結ピンを挟持する固定アゴ側閉じ体ピン挟持部が設けられている一方、
前記可動アゴ側閉じ体には、前記可動アゴ側ピン収容部に前記可動アゴ側連結ピンを収容する際、前記可動アゴ側ピン収容部に向かおうとする前記可動アゴ側連結ピンが当該可動アゴ側ピン収容部に露出する可動アゴ側閉じ体ピン当接部を押し回動させて前記可動アゴ体の可動アゴ側ピン挟持部との間で前記可動アゴ側連結ピンを挟持する可動アゴ側閉じ体ピン挟持部が設けられていることを特徴とする建設機械のアタッチメント取付け冶具。
【請求項２】
請求項１記載の建設機械のアタッチメント取付け冶具において、
前記固定アゴ体は、前記作動アーム先端の作動アーム側回動軸と前記ピストン側リンク先端のピストン側回動軸とに回動可能に連結されている一方、
前記可動アゴ体は、前記ピストン側リンク先端のピストン側回動軸を介して前記固定アゴ体および前記ピストン側リンクに対し回動可能に連結されていることを特徴とする建設機械。
【請求項３】
請求項２記載の建設機械のアタッチメント取付け冶具において、
前記可動アゴ体における前記可動アゴ側ピン収容部の前後には、それぞれ、前記可動アゴ側ピン収容部に前記可動アゴ側ピンが収容されていない状態では、当該可動アゴ側ピン収容部から離れるにしたがって水平方向に対し下がるよう傾斜したピン案内面が設けられていることを特徴とする建設機械のアタッチメント取付け冶具。
【請求項４】
請求項１〜請求項３記載の建設機械のアタッチメント取付け冶具を備えたことを特徴とする建設機械。
【考案の詳細な説明】
【技術分野】
【０００１】
本考案は、パワーショベル等の建設機械のアタッチメント取付け冶具および建設機械に関する。
【背景技術】
【０００２】
従来より、パワーショベル等の建設機械のアタッチメント取付け冶具として、バケット等のアタッチメントに所定間隔を空けて設けられた２本の連結ピンにそれぞれ一端開放の固定アゴ体と可動アゴ体とを係合させた後、規制材とコイルばね等により固定アゴ体から可動アゴ体が離れるように付勢する機構や（例えば、特許文献１参照。）、ネジ等を駆動させることによって可動アゴ体を固定アゴ体から離れるように付勢したり（例えば、特許文献２参照。）、さらには専用のバケットシリンダによって可動アゴ体を固定アゴ体から離れるように付勢する機構（例えば、特許文献３参照。）や、可動アゴ体と固定アゴ体のピン収容部を固定アゴ側閉じ体と可動アゴ側閉じ体とによって閉じるように構成したものも提案されている（例えば、特許文献４，５参照。）。
【先行技術文献】
【特許文献】
【０００３】
【特許文献１】特開２０１１−２３１５０５号公報
【特許文献２】実用新案登録第３１３４６９６号公報
【特許文献３】特開平２００６−１６９８８６号公報
【特許文献４】特許第６２１１３２４号公報
【特許文献５】特許第６４３０６７１号公報
【考案の概要】
【考案が解決しようとする課題】
【０００４】
しかし、上述の特許文献１〜５に開示された建設機械のアタッチメント取付け冶具では、バケット等の各種アタッチメントに所定間隔を空けて設けられた固定アゴ側連結ピンと可動アゴ側連結ピンとを、それぞれ、建設機械の作動アーム先端部に取り付けられた固定アゴ体の固定アゴ側ピン収容部と可動アゴ体の可動アゴ側ピン収容部に移動させた後、作業員が固定アゴ側閉じ体と可動アゴ側閉じ体とをそれぞれ手動で回動させて固定アゴ側連結ピンと可動アゴ側連結ピンとを挟持する作業が必要であり、アタッチメント取付け作業が面倒であるという問題がある。
【０００５】
特に、最近は人手不足の問題もあり、アタッチメント取付け作業を簡単に実行できる建設機械のアタッチメント取付け冶具が要求されている。
【０００６】
また、上述の特許文献１〜３に記載の建設機械のアタッチメント取付け冶具では、一端開放の固定アゴ体と可動アゴ体にそれぞれ連結ピンを係合させた後、規制材とコイルばねや、ネジまたはバケットシリンダ等によって固定アゴ体から可動アゴ体が離れるように付勢する規制機構が必要であるため、その分だけコストが増大するという問題もある。
【０００７】
そこで、本考案はこのような問題点に着目してなされたもので、アタッチメント側に所定間隔を空けて設けられた固定アゴ側連結ピンと可動アゴ側連結ピンとを、それぞれ、建設機械の作動アーム側に設けた固定アゴ体の固定アゴ側ピン収容部と可動アゴ体の可動アゴ側ピン収容部に移動させて固定アゴ側閉じ体と可動アゴ側閉じ体を閉じて挟持する際、作業員が固定アゴ側閉じ体と可動アゴ側閉じ体とを手動で操作せずに挟持することができる建設機械のアタッチメント取付け冶具および建設機械を提供することを目的とする。
【課題を解決するための手段】
【０００８】
前記課題を解決するため、本考案に係る建設機械のアタッチメント取付け冶具は、バケット等の各種アタッチメントに所定間隔を空けて設けられた固定アゴ側連結ピンと可動アゴ側連結ピンとをそれぞれ建設機械の作動アーム先端部に取り付けられた固定アゴ体の固定アゴ側ピン収容部と、前記建設機械の作動アームに設けられたバケットシリンダから伸縮するピストン先端部にピストン側リンクを介して取り付けられた可動アゴ体の可動アゴ側ピン収容部とに収容させた後、前記固定アゴ側ピン収容部の開口部と前記可動アゴ側ピン収容部の開口部とをそれぞれ固定アゴ側閉じ体と可動アゴ側閉じ体とによって閉じてアタッチメントを取付ける建設機械のアタッチメント取付け冶具であって、前記固定アゴ側ピン収容部と前記可動アゴ側ピン収容部とは、それぞれ、前記固定アゴ側連結ピンと前記可動アゴ側連結ピンとを同じ側から収容するように開口している一方、前記固定アゴ側閉じ体と前記可動アゴ側閉じ体は、それぞれ、前記固定アゴ体と前記可動アゴ体に回動可能に支持されており、前記固定アゴ側閉じ体には、前記固定アゴ側ピン収容部に前記固定アゴ側連結ピンを収容する際、前記固定アゴ側ピン収容部に向かおうとする前記固定アゴ側連結ピンが当該固定アゴ側ピン収容部に露出する固定アゴ側閉じ体ピン当接部を押し回動させて前記固定アゴ体の固定アゴ側ピン挟持部との間で前記固定アゴ側連結ピンを挟持する固定アゴ側閉じ体ピン挟持部が設けられている一方、前記可動アゴ側閉じ体には、前記可動アゴ側ピン収容部に前記可動アゴ側連結ピンを収容する際、前記可動アゴ側ピン収容部に向かおうとする前記可動アゴ側連結ピンが当該可動アゴ側ピン収容部に露出する可動アゴ側閉じ体ピン当接部を押し回動させて前記可動アゴ体の可動アゴ側ピン挟持部との間で前記可動アゴ側連結ピンを挟持する可動アゴ側閉じ体ピン挟持部が設けられていることを特徴とする。
また、本考案に係る建設機械のアタッチメント取付け冶具では、前記固定アゴ体は、前記作動アーム先端の作動アーム側回動軸と前記ピストン側リンク先端のピストン側回動軸とに回動可能に連結されている一方、前記可動アゴ体は、前記ピストン側リンク先端のピストン側回動軸を介して前記固定アゴ体および前記ピストン側リンクに対し回動可能に連結されていることも特徴とする。
また、本考案に係る建設機械のアタッチメント取付け冶具では、前記可動アゴ体における前記可動アゴ側ピン収容部の前後には、それぞれ、前記可動アゴ側ピン収容部に前記可動アゴ側ピンが収容されていない状態では、当該可動アゴ側ピン収容部から離れるにしたがって水平方向に対し下がるよう傾斜したピン案内面が設けられていることも特徴とする。
また、本考案に係る建設機械は、上述のいずれかの建設機械のバケット取付け構造を備えたことを特徴とする。
【考案の効果】
【０００９】
本考案に係る建設機械のアタッチメント取付け冶具および建設機械では、固定アゴ側ピン収容部と可動アゴ側ピン収容部とは、それぞれ、固定アゴ側連結ピンと可動アゴ側連結ピンとを同じ側から収容するように開口している一方、固定アゴ側閉じ体と可動アゴ側閉じ体は、それぞれ、固定アゴ体と可動アゴ体に回動可能に支持されており、固定アゴ側閉じ体には、固定アゴ側ピン収容部に固定アゴ側連結ピンを収容する際、固定アゴ側ピン収容部に向かおうとする固定アゴ側連結ピンが当該固定アゴ側閉じ体における固定アゴ側ピン収容部に露出する固定アゴ側閉じ体ピン当接部を押し回動させて固定アゴ体の固定アゴ側ピン挟持部との間で固定アゴ側連結ピンを挟持する固定アゴ側閉じ体ピン挟持部を設け、可動アゴ側閉じ体には、可動アゴ側ピン収容部に可動アゴ側連結ピンを収容する際、可動アゴ側ピン収容部に向かおうとする可動アゴ側連結ピンが当該可動アゴ側閉じ体における可動アゴ側ピン収容部に露出する可動アゴ側閉じ体ピン当接部を押し回動させて可動アゴ体の可動アゴ側ピン挟持部との間で可動アゴ側連結ピンを挟持する可動アゴ側閉じ体ピン挟持部を設けている。
そのため、本考案に係る建設機械のアタッチメント取付け冶具および建設機械によれば、アタッチメント側に設けられた固定アゴ側連結ピンと可動アゴ側連結ピンとを、それぞれ、建設機械の作動アーム側に設けた固定アゴ体の固定アゴ側ピン収容部と可動アゴ体の可動アゴ側ピン収容部に移動させて固定アゴ側閉じ体と可動アゴ側閉じ体を閉じて挟持する際、作業員が固定アゴ側閉じ体と可動アゴ側閉じ体とを手動で操作せずに挟持することが可能となり、アタッチメントの装着作業を容易に行うことができる。
【図面の簡単な説明】
【００１０】
【図１】本考案に係る実施形態の建設機械のアタッチメント取付け冶具を介して作動アームにバケットを取付ける際の状態を示す正面図である。
【図２】本考案に係る実施形態の建設機械のアタッチメント取付け冶具の正面図である。
【図３】本考案に係る実施形態の建設機械のアタッチメント取付け冶具の右側面図である。
【図４】本考案に係る実施形態の建設機械のアタッチメント取付け冶具の左側面図である。
【図５】本考案に係る実施形態の建設機械のアタッチメント取付け冶具の固定アゴ体でピン間隔が狭いアタッチメント側の固定アゴ側連結ピンに連結した状態を示す要部拡大正面図である。
【図６】本考案に係る実施形態の建設機械のアタッチメント取付け冶具の固定アゴ体でピン間隔が狭いアタッチメント側のピストン側回動軸に連結した後、可動アゴ体でアタッチメント側のピストン側回動軸に連結した状態を示す要部拡大正面図である。
【図７】本考案に係る実施形態の建設機械のアタッチメント取付け冶具の固定アゴ体でピン間隔が広いアタッチメント側の固定アゴ側連結ピンに連結した状態を示す要部拡大正面図である。
【図８】本考案に係る実施形態の建設機械のアタッチメント取付け冶具の固定アゴ体でピン間隔が広いアタッチメント側のピストン側回動軸に連結した後、可動アゴ体でアタッチメント側のピストン側回動軸に連結した状態を示す要部拡大正面図である。
【考案を実施するための形態】
【００１１】
以下、本考案に係る実施の形態の建設機械とそのアタッチメント取付け冶具および建設機械について、図面を参照しながら説明する。ただし、下記に説明する実施の形態は、あくまで、本考案の一例であり、本考案は、下記に説明する実施の形態に限定されるものではなく、本考案の技術的思想の範囲内で適宜変更可能である。
【００１２】
本考案に係る実施形態の建設機械のアタッチメント取付け冶具１は、図１に示すように、バケットやハンマー、破砕機（クラッシャー）、スケルトンバケット（ふるいバケット）等の各種のアタッチメント２の後部部に所定間隔を空けて設けられた固定アゴ側連結ピン２ａと可動アゴ側連結ピン２ｂとを、それぞれ、固定アゴ体１ａと可動アゴ体１ｂとに係合してアタッチメント２を取付けるもので、固定アゴ側ロックピン挿入孔１ａ３４および可動アゴ側ロックピン挿入孔１ｂ３４へのロックピン（図示せず。）の挿入作業前までの固定アゴ側連結ピン２ａと可動アゴ側連結ピン２ｂの係合作業までは作業員が建設機械に乗車したまま行えるように構成したものである。
【００１３】
尚、図１において、３ｄは、作動アーム３ａに基端部が回動可能に連結される一方、バケットシリンダ３ｂから伸縮するピストン３ｂ１の先端部とピストン側リンク３ｃの基端部に先端部が回動可能に連結されたアームリンクである。また、アタッチメント取付け冶具１以外のアタッチメント２や、作動アーム３ａ、バケットシリンダ３ｂ、ピストン側リンク３ｃ、アームリンク３ｄ等の構成や連結構造は、従来のものと同じで周知である。
【００１４】
＜アタッチメント取付け冶具１の構成＞
本考案に係る実施形態のアタッチメント取付け冶具１は、図１〜図４に示すように、作動アーム３ａ先端の作動アーム側回動軸３ａ１およびピストン側リンク３ｃ先端のピストン側回動軸３ｃ１を介して両端部が回動可能に連結された固定アゴ体１ａと、ピストン側リンク３ｃ先端のピストン側回動軸３ｃ１を介して回動可能に連結された可動アゴ体１ｂとを備えており、固定アゴ体１ａは固定アゴ側連結ピン２ａに連結する一方、可動アゴ体１ｂは可動アゴ側連結ピン２ｂに連結するように構成されている。
【００１５】
ここで、本考案に係る実施形態のアタッチメント取付け冶具１では、固定アゴ体１ａは、アタッチメント２に連結していない場合でもその両端部が作動アーム側回動軸３ａ１とピストン側回動軸３ｃ１に連結されているため、安定した姿勢ないしは角度等の安定な状態を保つのに対し、可動アゴ体１ｂは、アタッチメント２に連結していない場合、ピストン側リンク３ｃ先端のピストン側回動軸３ｃ１を介してピストン側リンク３ｃ先端に回動可能に連絡されているのみであるため、ピストン側回動軸３ｃ１を回転軸として、時計回りまたは反時計回りに自由に回動する不安定（フリー）な状態にある。
【００１６】
（固定アゴ体１ａ）
固定アゴ体１ａは、図１〜図４に示すように後端部は建設機械の作動アーム３ａの先端部に作動アーム側回動軸３ａ１を介して固定側連結板１ａ１が回動可能に連結されている一方、先端部はピストン側リンク３ｃ先端部にピストン側回動軸３ｃ１を介して回動可能に連結された一対の固定側連結板１ａ１，１ａ１を有しており、その固定側連結板１ａ１，１ａ１の下端部には、固定側水平基板１ａ２を介して一対の固定アゴ側フック板１ａ３，１ａ３が設けられている。そのため、固定アゴ体１ａには、図２および図３等に示すように、作動アーム側回動軸３ａ１を支持する円環状の作動アーム側回動軸受部１ａ５，１ａ５が設けられており、作動アーム側回動軸受部１ａ５，１ａ５には、それぞれ、作動アーム側回動軸３ａ１が抜けないように抜け止めピン１ａ６が挿入されるよう貫通した貫通孔を設けている。
【００１７】
一対の固定アゴ側フック板１ａ３，１ａ３には、それぞれ、図１〜図４に示すように、固定アゴ側連結ピン２ａに係合する一端開放でかつ固定アゴ側連結ピン２ａの外周面に応じたほぼ断面半円弧状の固定アゴ側ピン収容部１ａ３０を形成する固定アゴ側ピン挟持部１ａ３１が設けられていると共に、一対の固定アゴ側フック板１ａ３，１ａ３の間に固定アゴ側閉じ体用回動軸１ａ３２を介して回動可能に設けられ、固定アゴ側連結ピン２ａを固定アゴ側ピン収容部１ａ３０に収容させた後、その固定アゴ側ピン収容部１ａ３０の開口側を閉じて固定アゴ側連結ピン２ａを挟持し脱落を防止する固定アゴ側閉じ体１ａ３３が設けられている。
【００１８】
ここで、固定アゴ側ピン収容部１ａ３０は、可動アゴ側ピン収容部１ｂ３０と同様に、固定アゴ側連結ピン２ａが図１および図２上、右方向から収容するように開口している。
【００１９】
固定アゴ側閉じ体１ａ３３は、固定アゴ側連結ピン２ａの外周面に応じたほぼ断面半円弧状に形成され、閉じた際、固定アゴ側ピン挟持部１ａ３１との間で固定アゴ側連結ピン２ａを挟持する固定アゴ側閉じ体ピン挟持部１ａ３３ａが設けられていると共に、固定アゴ側連結ピン２ａが固定アゴ側ピン収容部１ａ３０に収容して挟持する前に、固定アゴ側連結ピン２ａが当接した場合、固定アゴ側閉じ体１ａ３３を反時計回り（β方向）に回動させて固定アゴ側連結ピン２ａを固定アゴ側ピン収容部１ａ３０まで案内する固定アゴ側閉じ体連結ピン案内面１ａ３３ｂが設けられている。
【００２０】
また、固定アゴ側閉じ体１ａ３３には、固定アゴ側ピン収容部１ａ３０に固定アゴ側連結ピン２ａを収容する前の状態では、固定アゴ側ピン収容部１ａ３０に露出しており、固定アゴ側ピン収容部１ａ３０に固定アゴ側連結ピン２ａを収容する際、固定アゴ側ピン収容部１ａ３０に向かおうとする固定アゴ側連結ピン２ａが当接して押すことにより固定アゴ側閉じ体１ａ３３を時計周り（α方向）に回動させて固定アゴ体１ａ３の固定アゴ側ピン挟持部１ａ３１と固定アゴ側閉じ体１ａ３３の固定アゴ側閉じ体１ａ３３との間で固定アゴ側連結ピン２ａを挟持させる固定アゴ側閉じ体ピン当接部１ａ３３ｃが設けられている。
【００２１】
これにより、本考案に係る実施形態のアタッチメント取付け冶具１では、固定アゴ側ピン収容部１ａ３０に固定アゴ側連結ピン２ａが収容した後、作業員が固定アゴ側閉じ体１ａ３３を手で回転させるなどして固定アゴ側連結ピン２ａを挟持すること無く、固定アゴ側ピン収容部１ａ３０に向かう固定アゴ側連結ピン２ａが固定アゴ側ピン収容部１ａ３０に露出する固定アゴ側閉じ体ピン当接部１ａ３３ｃに当接して固定アゴ側閉じ体ピン当接部１ａ３３ｃを押すことにより、固定アゴ側閉じ体１ａ３３を時計周り（α方向）に回動させて固定アゴ体１ａ３の固定アゴ側ピン挟持部１ａ３１と固定アゴ側閉じ体１ａ３３の固定アゴ側閉じ体１ａ３３との間で固定アゴ側連結ピン２ａを挟持することができるので、従来技術のように固定アゴ側ピン収容部１ａ３０に固定アゴ側連結ピン２ａを収容した後、作業員が固定アゴ側閉じ体１ａ３３を手で回転させるなどして固定アゴ側連結ピン２ａを挟持する必要がなくなり、作業効率を向上させることができる。
【００２２】
また、一対の固定アゴ側フック板１ａ３，１ａ３には、図５等に示すように固定アゴ側閉じ体１ａ３３が固定アゴ側ピン収容部１ａ３０の開口側を閉じて固定アゴ側連結ピン２ａを挟持した後、固定アゴ側閉じ体１ａ３３が勝手に回動しないように抜差し式ロックピン(図示せず。)が挿入される固定アゴ側ロックピン挿入孔１ａ３４，１ａ３４等を備えている。
【００２３】
尚、一対の固定アゴ側フック板１ａ３，１ａ３と固定アゴ側閉じ体１ａ３３との間で固定アゴ側連結ピン２ａを挟持する前の状態では、固定アゴ側閉じ体１ａ３３は固定アゴ側閉じ体用回動軸１ａ３２によって図２に示すようにその自重によって固定アゴ側閉じ体ピン当接部１ａ３３ｃが固定アゴ側ピン収容部１ａ３０に露出する状態で安定しているが、固定アゴ側閉じ体１ａ３３の上部の一部が固定アゴ側ロックピン挿入孔１ａ３４，１ａ３４に露出する。
【００２４】
（可動アゴ体１ｂ）
可動アゴ体１ｂは、図１や図４および図５に示すようにピストン側リンク３ｃ先端および固定アゴ体１ａの先端側を回動可能に連結するピストン側回動軸３ｃ１に回動可能に設けられたもので、ピストン側回動軸３ｃ１を支持する円環状のピストン側回動軸受部１ｂ５，１ｂ５が設けられており、ピストン側回動軸受部１ｂ５，１ｂ５には、それぞれ、ピストン側回動軸３ｃ１が抜けないように抜け止めピン(図示せず。)が挿入されるよう上下方向に貫通する貫通孔を設けていると共に、可動側水平基板１ｂ２を介して一対の可動アゴ側フック板１ｂ３，１ｂ３が設けられている。
【００２５】
一対の可動アゴ側フック板１ｂ３，１ｂ３には、それぞれ、等に示すように、可動アゴ側連結ピン２ｂを挟持する一端開放でかつ可動アゴ側連結ピン２ｂの外周面に応じたほぼ断面半円弧状の可動アゴ側ピン収容部１ｂ３０を形成する可動アゴ側ピン挟持部１ｂ３１と、可動アゴ側フック板１ｂ３に可動アゴ側閉じ体用回動軸１ｂ３２を介して回動可能に設けられ、可動アゴ側連結ピン２ｂを可動アゴ側ピン収容部１ｂ３０に収容させた後、その可動アゴ側ピン収容部１ｂ３０の開口側を閉じて可動アゴ側連結ピン２ｂを挟持し脱落を防止する可動アゴ側閉じ体１ｂ３３を備えている。
【００２６】
ここで、可動アゴ側ピン収容部１ｂ３０は、固定アゴ側ピン収容部１ａ３０と同様に、可動アゴ側連結ピン２ｂが図１および図２上、右方向から収容するように開口している。つまり、固定アゴ側ピン収容部１ａ３０と可動アゴ側ピン収容部１ｂ３０とは、それぞれ、固定アゴ側連結ピン２ａと可動アゴ側連結ピン２ｂとを同じ側から収容するように開口している。
【００２７】
可動アゴ側閉じ体１ｂ３３は、可動アゴ側連結ピン２ｂの外周面に応じたほぼ断面半円弧状に形成され、閉じた際、可動アゴ側ピン挟持部１ｂ３１との間で可動アゴ側連結ピン２ｂを挟持する可動アゴ側閉じ体ピン挟持部１ｂ３３ａが設けられていると共に、可動アゴ側連結ピン２ｂが可動アゴ側ピン収容部１ｂ３０に収容して挟持する前に、可動アゴ側連結ピン２ｂが当接した場合、可動アゴ側閉じ体１ｂ３３を反時計回り（β方向）に回動させて可動アゴ側連結ピン２ｂを可動アゴ側ピン収容部１ｂ３０まで案内する可動アゴ側閉じ体ピン案内面１ｂ３３ｂが設けられている。
【００２８】
また、可動アゴ側閉じ体１ｂ３３には、可動アゴ側ピン収容部１ｂ３０に可動アゴ側連結ピン２ｂを収容する前の状態では、可動アゴ側ピン収容部１ｂ３０に露出しており、可動アゴ側ピン収容部１ｂ３０に可動アゴ側連結ピン２ｂを収容する際、可動アゴ側ピン収容部１ｂ３０に向かおうとする可動アゴ側連結ピン２ｂが当接して押すことにより可動アゴ側閉じ体１ｂ３３を時計周り（α方向）に回動させて可動アゴ体１ｂ３の可動アゴ側ピン挟持部１ｂ３１と可動アゴ側閉じ体１ｂ３３の可動アゴ側閉じ体１ｂ３３との間で可動アゴ側連結ピン２ｂを挟持させる可動アゴ側閉じ体ピン当接部１ｂ３３ｃが設けられている。
【００２９】
これにより、本考案に係る実施形態のアタッチメント取付け冶具１では、可動アゴ側ピン収容部１ｂ３０に可動アゴ側連結ピン２ｂが収容した後、作業員が可動アゴ側閉じ体１ｂ３３を手で回転させるなどして可動アゴ側連結ピン２ｂを挟持すること無く、可動アゴ側ピン収容部１ｂ３０に向かう可動アゴ側連結ピン２ｂが可動アゴ側ピン収容部１ｂ３０に露出する可動アゴ側閉じ体ピン当接部１ｂ３３ｃに当接して可動アゴ側閉じ体ピン当接部１ｂ３３ｃを押すことにより、可動アゴ側閉じ体１ｂ３３を時計周り（α方向）に回動させて可動アゴ体１ｂ３の可動アゴ側ピン挟持部１ｂ３１と可動アゴ側閉じ体１ｂ３３の可動アゴ側閉じ体１ｂ３３との間で可動アゴ側連結ピン２ｂを挟持することができるので、従来技術のように可動アゴ側ピン収容部１ｂ３０に可動アゴ側連結ピン２ｂを収容した後、作業員が可動アゴ側閉じ体１ｂ３３を手で回転させるなどして可動アゴ側連結ピン２ｂを挟持する必要がなくなり、作業効率を向上させることができる。
【００３０】
また、可動アゴ体１ｂは、図５に示すように可動アゴ側閉じ体１ｂ３３が可動アゴ側ピン収容部１ｂ３０の開口側を閉じて可動アゴ側連結ピン２ｂを挟持した後、可動アゴ側閉じ体１ｂ３３が勝手に回動しないように抜差し式ロックピン(図示せず。)が挿入される可動アゴ側ロックピン挿入孔１ｂ３４，１ｂ３４を備えている。
【００３１】
尚、一対の可動アゴ側フック板１ｂ３，１ｂ３と可動アゴ側閉じ体１ｂ３３との間で可動定アゴ側連結ピン２ｂを挟持する前の状態では、可動アゴ側閉じ体１ｂ３３は可動アゴ側閉じ体用回動軸１ｂ３２によって図２に示すようにその自重によって可動アゴ側閉じ体ピン当接部１ｂ３３ｃが可動アゴ側ピン収容部１ｂ３０に露出する状態で安定しているが、可動アゴ側閉じ体１ｂ３３の上部の一部も可動アゴ側ロックピン挿入孔１ｂ３４，１ｂ３４に露出する。
【００３２】
さらに、可動アゴ体１ｂはアタッチメント２側のピストン側回動軸３ｃ１に連結していない場合、ピストン側回動軸３ｃ１を介して回動自在な状態で連絡されているため、基本的には可動アゴ体１ｂ自体の重量によってその重心が最も低い位置に位置する状態で停止し、作業員は作動アーム３ａやバケットシリンダ３ｂから伸縮するピストン３ｂ１を操作しても可動アゴ体１ｂの角度等を変えることができない。
【００３３】
そのため、そのようなピストン側回動軸３ｃ１に吊り下げ状態で角度を調整できない可動アゴ体１ｂが可動アゴ側連結ピン２ｂに当接した際、可動アゴ側連結ピン２ｂを可動アゴ側ピン収容部１ｂ３０まで案内できるよう、可動アゴ体１ｂの可動アゴ側フック板１ｂ３の可動アゴ側ピン収容部１ｂ３０の前後には、それぞれ、ピストン側回動軸３ｃ１に吊り下げ状態にある可動アゴ体１ｂがその自身の重量によってその重心が最も低い位置に位置する状態で停止した状態で、可動アゴ側ピン収容部１ｂ３０の前後それぞれには当該可動アゴ側ピン収容部から離れるにしたがって水平方向に対し下がるよう傾斜した可動アゴ側前ピン案内面１ｂ３５と可動アゴ側後ピン案内面１ｂ３６が設けられている。
【００３４】
＜建設機械のアタッチメント取付け冶具１を使用したアタッチメント２の取付け方法＞
次に、以上のように構成された実施形態の建設機械のアタッチメント取付け冶具１を使用して、アタッチメント２の固定アゴ側連結ピン２ａおよび可動アゴ側連結ピン２ｂと連結するアタッチメント２を取付け方法について説明する。
【００３５】
（固定アゴ側連結ピン２ａと可動アゴ側連結ピン２ｂとの間隔が狭い小型のアタッチメントの場合）
【００３６】
（アタッチメント取付け冶具１に固定アゴ側連結ピン２ａおよび可動アゴ側連結ピン２ｂを連結していない状態）
まず、アタッチメント取付け冶具１に固定アゴ側連結ピン２ａおよび可動アゴ側連結ピン２ｂを連結していない状態では、図５に示すように、固定アゴ体１ａ３に対し固定アゴ側閉じ体用回動軸１ａ３２を介して回動自在に支持された固定アゴ側閉じ体１ａ３３は、その自重によって固定アゴ側閉じ体ピン当接部１ａ３３ｃが固定アゴ側ピン収容部１ａ３０に露出する状態で安定している。
【００３７】
その際、固定アゴ側閉じ体１ａ３３の上部の一部は、固定アゴ側ロックピン挿入孔１ａ３４から露出した状態にある。
【００３８】
同様に、アタッチメント取付け冶具１に固定アゴ側連結ピン２ａおよび可動アゴ側連結ピン２ｂを連結していない状態では、可動アゴ体１ｂはピストン側リンク３ｃ先端および固定アゴ体１ａの先端側を回動可能に連結するピストン側回動軸３ｃ１を介し回動自在に支持されている共に、可動アゴ体１ｂの可動アゴ側閉じ体１ｂ３３も可動アゴ側フック板１ｂ３に可動アゴ側閉じ体用回動軸１ｂ３２を介して回動自在に支持されているため、固定アゴ側連結ピン２ａおよび可動アゴ側連結ピン２ｂを連結していない状態では、図５に示すように、可動アゴ体１ｂ３に対し可動アゴ側閉じ体用回動軸１ｂ３２を介して回動自在に支持された可動アゴ側閉じ体１ｂ３３は、その自重によって可動アゴ側閉じ体ピン当接部１ｂ３３ｃが可動アゴ側ピン収容部１ｂ３０に露出する状態で安定している。
【００３９】
その際、可動アゴ側閉じ体１ｂ３３の上部の一部は、可動アゴ側ロックピン挿入孔１ｂ３４から露出した状態にある。
【００４０】
（アタッチメント取付け冶具１の固定アゴ体１ａを固定アゴ側連結ピン２ａに連結）
次に、本考案に係る実施形態のアタッチメント取付け冶具１では、アタッチメント取付け冶具１の可動アゴ体１ｂを固定アゴ側連結ピン２ｂに連結する前に、図６に示すように、まずは固定アゴ体１ａを固定アゴ側連結ピン２ａに連結する。
【００４１】
その際、固定アゴ側閉じ体１ａ３３には、固定アゴ側ピン収容部１ａ３０に固定アゴ側連結ピン２ａを収容する前の状態では、固定アゴ側閉じ体ピン当接部１ａ３３ｃが固定アゴ側ピン収容部１ａ３０に露出しているため、固定アゴ側ピン収容部１ａ３０に固定アゴ側連結ピン２ａが収容されると、固定アゴ側連結ピン２ａが固定アゴ側閉じ体ピン当接部１ａ３３ｃに当接して固定アゴ側閉じ体ピン当接部１ａ３３ｃを押すことにより固定アゴ側閉じ体１ａ３３を時計周り（α方向）に回動させて固定アゴ体１ａ３の固定アゴ側ピン挟持部１ａ３１と固定アゴ側閉じ体１ａ３３の固定アゴ側閉じ体１ａ３３との間で固定アゴ側連結ピン２ａを挟持させる。
【００４２】
これにより、本考案に係る実施形態のアタッチメント取付け冶具１では、固定アゴ側ピン収容部１ａ３０に固定アゴ側連結ピン２ａが収容した後、作業員が固定アゴ側閉じ体１ａ３３を手で回転させるなどして固定アゴ側連結ピン２ａを挟持すること無く、固定アゴ側連結ピン２ａで固定アゴ側閉じ体ピン当接部１ａ３３ｃを押すことにより固定アゴ側閉じ体１ａ３３を時計周り（α方向）に回動させて固定アゴ体１ａ３の固定アゴ側ピン挟持部１ａ３１と固定アゴ側閉じ体１ａ３３の固定アゴ側閉じ体１ａ３３との間で固定アゴ側連結ピン２ａを挟持することができるので、従来技術のように固定アゴ側ピン収容部１ａ３０に固定アゴ側連結ピン２ａを収容した後、作業員が固定アゴ側閉じ体１ａ３３を手で回転させるなどして固定アゴ側連結ピン２ａを挟持する必要がなくなり、作業効率を向上させることができる。
【００４３】
（アタッチメント取付け冶具１の可動アゴ体１ｂを可動アゴ側連結ピン２ｂに連結）
次に、作業者は、可動アゴ体１ｂに可動アゴ側連結ピン２ｂを連結するため、図１に示すように、建設機械２の作動アーム３ａやバケットシリンダ３ｂから伸縮するピストン３ｂ１を操作して、可動アゴ体１ｂをアタッチメント２の後部部に所定間隔を空けて設けられた可動アゴ側連結ピン２ｂへ近付ける。
【００４４】
その際、固定アゴ体１ａ３の固定アゴ側ピン挟持部１ａ３１と固定アゴ側閉じ体１ａ３３の固定アゴ側閉じ体１ａ３３とによって固定アゴ側連結ピン２ａを挟持しているため、図面では表示していないが、作業者は建設機械２の運転によりアタッチメント取付け冶具１で固定アゴ側連結ピン２ａを挟持しアタッチメント２を地面から浮かせた状態で可動アゴ体１ｂを可動アゴ側連結ピン２ｂに連結作業を行うと良い。
【００４５】
固定アゴ側連結ピン２ａによりアタッチメント２を地面から浮かせた状態で可動アゴ体１ｂを可動アゴ側連結ピン２ｂに連結作業を行うと、可動アゴ体１ｂだけでなくアタッチメント２も回動フリーな状態になるため、アタッチメント２の可動アゴ側連結ピン２ｂへの可動アゴ体１ｂの連結作業がより円滑に行うことが可能となる。ただし、アタッチメント２を地面から浮かせた状態で可動アゴ体１ｂを可動アゴ側連結ピン２ｂに連結作業を行うことは一例であって、本考案に必須な作業ではなく、アタッチメント２を地面に安定状態で置いたまま、さらには固定アゴ側連結ピン２ａを介しアタッチメント２を多少引き上げるもののアタッチメント２先端等が地面に着いたままアタッチメント２の可動アゴ側連結ピン２ｂへの可動アゴ体１ｂの連結作業を行っても勿論良い。
【００４６】
尚、固定アゴ体１ａはアタッチメント２に連結していない場合でもその両端部が作動アーム側回動軸３ａ１とピストン側回動軸３ｃ１に連結していて安定した姿勢ないしは角度等の安定な状態を保つため、固定アゴ側ロックピン挿入孔１ａ３４に抜差し式ロックピン(図示せず。)を挿入しない場合でも、固定アゴ側ピン挟持部１ａ３１から先端部１ａ３１ａ側を水平方向に対し上方向に傾斜させている限り固定アゴ側連結ピン２ａは落下しない。
【００４７】
ここで、本考案に係る実施形態のアタッチメント取付け冶具１では、可動アゴ体１ｂは、アタッチメント２に連結していない場合、ピストン側リンク３ｃ先端のピストン側回動軸３ｃ１を介してピストン側リンク３ｃ先端に回動可能に連絡されているため、ピストン側回動軸３ｃ１を回転軸として、時計回りまたは反時計回りに自由に回動する不安定（フリー）な状態にあるため、作動アーム３ａやバケットシリンダ３ｂから伸縮するピストン３ｂ１の操作に応じて回動するものの、基本的には、可動アゴ体１ｂ自体の重量によってその重心が最も低い位置に位置する状態で安定する。
【００４８】
そして、作動アーム３ａやバケットシリンダ３ｂから伸縮するピストン３ｂ１を操作して可動アゴ体１ｂを降下させてアタッチメント２の可動アゴ側連結ピン２ｂへ近付けると、可動アゴ体１ｂ自体の角度は調整できないものの可動アゴ側ピン収容部１ｂ３０の前後それぞれに当該可動アゴ側ピン収容部１ｂ３０から離れるにしたがって水平方向に対し下がるよう傾斜した可動アゴ側前ピン案内面１ｂ３５と可動アゴ側後ピン案内面１ｂ３６が設けられているため、作動アーム３ａやバケットシリンダ３ｂから伸縮するピストン３ｂ１を操作して可動アゴ体１ｂを降下させて可動アゴ側前ピン案内面１ｂ３５または可動アゴ側後ピン案内面１ｂ３６に可動アゴ側連結ピン２ｂが当接すると、可動アゴ側連結ピン２ｂが可動アゴ側前ピン案内面１ｂ３５または可動アゴ側後ピン案内面１ｂ３６に案内され、可動アゴ体１ｂがピストン側回動軸３ｃ１を中心に回動しながら降下して可動アゴ側ピン収容部１ｂ３０に収容される。
【００４９】
尚、図６は、固定アゴ側連結ピン２ａと可動アゴ側連結ピン２ｂとの間隔が狭い小型のアタッチメント２の場合であるため、可動アゴ体１ｂを可動アゴ側連結ピン２ｂへ近付くように降下させた際に、可動アゴ体１ｂの可動アゴ側後ピン案内面１ｂ３６が可動アゴ側連結ピン２ｂに当接している。
【００５０】
そのため、図６に示す可動アゴ体１ｂの可動アゴ側後ピン案内面１ｂ３６と可動アゴ側連結ピン２ｂとの当接状態からさらに可動アゴ体１ｂを降下させると、可動アゴ体１ｂはピストン側回動軸３ｃ１を回転軸として反時計回り（β方向）に回動し、可動アゴ側連結ピン２ｂは可動アゴ側後ピン案内面１ｂ３６に案内されて可動アゴ側ピン収容部１ｂ３０に向かうことになる。
【００５１】
ここで、可動アゴ側連結ピン２ｂは可動アゴ側後ピン案内面１ｂ３６に案内されて可動アゴ側ピン収容部１ｂ３０に向かうため、可動アゴ側閉じ体１ｂ３３の先端部が可動アゴ側後ピン案内面１ｂ３６から突出して可動アゴ側連結ピン２ｂの案内を阻害しないように可動アゴ側閉じ体１ｂ３３を形成されている。ただし、可動アゴ側閉じ体１ｂ３３の先端部が可動アゴ側後ピン案内面１ｂ３６から突出していても可動アゴ側閉じ体１ｂ３３は回動可能であり、しかも可動アゴ側連結ピン２ｂが可動アゴ側閉じ体１ｂ３３の先端部を押して反時計回り（β方向）に回動させた場合、可動アゴ側閉じ体１ｂ３３の可動アゴ側閉じ体ピン当接部１ｂ３３ｃが可動アゴ側ピン収容部１ｂ３０から露出する部分が大きくなるので、本考案では、可動アゴ側閉じ体１ｂ３３の先端部が可動アゴ側後ピン案内面１ｂ３６から突出していても問題はない。
【００５２】
そして、可動アゴ側連結ピン２ｂが可動アゴ側ピン収容部１ｂ３０に到達すると、可動アゴ側ピン収容部１ｂ３０には、図５や図６等に示すように可動アゴ側閉じ体１ｂ３３の可動アゴ側閉じ体ピン当接部１ｂ３３ｃが露出しているため、可動アゴ側連結ピン２ｂが可動アゴ側閉じ体ピン当接部１ｂ３３ｃに当接して押すことにより可動アゴ側閉じ体１ｂ３３を時計周り（α方向）に回動させて、図７に示すように可動アゴ体１ｂ３の可動アゴ側ピン挟持部１ｂ３１と可動アゴ側閉じ体１ｂ３３の可動アゴ側閉じ体１ｂ３３とで可動アゴ側連結ピン２ｂを挟持する。
【００５３】
このように本考案に係る実施形態のアタッチメント取付け冶具１では、作業員が固定アゴ側閉じ体１ａ３３や可動アゴ側閉じ体１ｂ３３を直接、手に触れて回転させなくても、建設機械に乗車して作動アーム３ａやバケットシリンダ３ｂから伸縮するピストン３ｂ１等を操作するだけで、固定アゴ側フック板１ａ３および固定アゴ側閉じ体１ａ３３によって固定アゴ側連結ピン２ａを挟持できると共に、可動アゴ側フック板１ｂ３および可動アゴ側閉じ体１ｂ３３によって可動アゴ側連結ピン２ｂを挟持することができる。
【００５４】
ただし、この状態では、固定アゴ側閉じ体１ａ３３と可動アゴ側閉じ体１ｂ３３がロックされていないため、作業員は、固定アゴ側閉じ体１ａ３３と可動アゴ側閉じ体１ｂ３３が勝手に回動しないよう固定アゴ側ロックピン挿入孔１ａ３４と可動アゴ側ロックピン挿入孔１ｂ３４とにそれぞれに抜差し式ロックピン(図示せず。)を挿入して、固定アゴ側フック板１ａ３および固定アゴ側閉じ体１ａ３３による固定アゴ側連結ピン２ａの挟持状態をロックすると共に、可動アゴ側フック板１ｂ３および可動アゴ側閉じ体１ｂ３３による可動アゴ側連結ピン２ｂの挟持状態をロックする。
【００５５】
尚、固定アゴ側連結ピン２ａと可動アゴ側連結ピン２ｂとの間隔が広い大型のアタッチメント２の場合は、固定アゴ体１ａ３の固定アゴ側ピン挟持部１ａ３１と固定アゴ側閉じ体１ａ３３の固定アゴ側閉じ体１ａ３３とによる固定アゴ側連結ピン２ａの挟持後、可動アゴ体１ｂを可動アゴ側連結ピン２ｂへ近付くように降下させると、例えば、図８に示すように可動アゴ体１ｂの可動アゴ側前ピン案内面１ｂ３５が可動アゴ側連結ピン２ｂに当接する。
【００５６】
そして、図８に示す可動アゴ体１ｂの可動アゴ側前ピン案内面１ｂ３５と可動アゴ側連結ピン２ｂとの当接状態からさらに可動アゴ体１ｂを降下させると、可動アゴ体１ｂはピストン側回動軸３ｃ１を回転軸として時計回り（α方向）に回動して、可動アゴ側連結ピン２ｂは可動アゴ側後ピン案内面１ｂ３６に案内されて可動アゴ側ピン収容部１ｂ３０に向かって移動し、可動アゴ側連結ピン２ｂが可動アゴ側ピン収容部１ｂ３０に到達すると、図８に示すように可動アゴ側ピン収容部１ｂ３０に露出している可動アゴ側閉じ体ピン当接部１ｂ３３ｃに可動アゴ側連結ピン２ｂが当接し、可動アゴ側連結ピン２ｂが可動アゴ側閉じ体ピン当接部１ｂ３３ｃを押して可動アゴ側閉じ体１ｂ３３を時計周り（α方向）に回動させて、図９に示すように可動アゴ体１ｂ３の可動アゴ側ピン挟持部１ｂ３１と可動アゴ側閉じ体１ｂ３３の可動アゴ側閉じ体１ｂ３３とで可動アゴ側連結ピン２ｂを挟持することができる。
【００５７】
＜本実施形態の建設機械のアタッチメント取付け冶具１の主な効果＞
以上説明したように、本考案に係る実施形態の建設機械のアタッチメント取付け冶具１では、固定アゴ側ピン収容部１ａ３０と可動アゴ側ピン収容部１ｂ３０とは、それぞれ、固定アゴ側連結ピン２ａと可動アゴ側連結ピン２ｂとを同じ側である図１や図２上、右方向から収容するように開口している一方、固定アゴ側閉じ体１ａ３３と可動アゴ側閉じ体１ｂ３３は、それぞれ、固定アゴ体１ａと可動アゴ体１ｂに回動可能に支持されており、固定アゴ側閉じ体１ａ３３には、固定アゴ側ピン収容部１ａ３０に固定アゴ側連結ピン２ａを収容する際、固定アゴ側ピン収容部１ａ３０に向かおうとする固定アゴ側連結ピン２ａが当該固定アゴ側閉じ体１ａ３３における固定アゴ側ピン収容部１ａ３０に露出する固定アゴ側閉じ体ピン当接部１ａ３３ｃを押し回動させて固定アゴ体１ａの固定アゴ側ピン挟持部との間で固定アゴ側連結ピン２ａを挟持する固定アゴ側閉じ体ピン挟持部１ａ３３ａを設ける一方、可動アゴ側閉じ体１ｂ３３には、可動アゴ側ピン収容部１ｂ３０に可動アゴ側連結ピン２ｂを収容する際、可動アゴ側ピン収容部１ｂ３０に向かおうとする可動アゴ側連結ピン２ｂが当該可動アゴ側閉じ体１ｂ３３における可動アゴ側ピン収容部１ｂ３０に露出する可動アゴ側閉じ体ピン当接部１ｂ３３ｃを押し回動させて可動アゴ体１ｂの可動アゴ側ピン挟持部１ｂ３１との間で可動アゴ側連結ピン２ｂを挟持する可動アゴ側閉じ体ピン挟持部１ｂ３３ａを設けている。
【００５８】
そのため、本考案に係る建設機械のアタッチメント取付け冶具１および建設機械によれば、アタッチメント２側に所定間隔を空けて設けられた固定アゴ側連結ピン２ａと可動アゴ側連結ピン２ｂとを、それぞれ、建設機械の作動アーム３ａ側に設けた固定アゴ体１ａの固定アゴ側ピン収容部１ａ３０と可動アゴ体１ｂの可動アゴ側ピン収容部１ｂ３０に移動させて固定アゴ側閉じ体１ａ３３と可動アゴ側閉じ体１ｂ３３を閉じて挟持する際、作業員は建設機械に乗車したまま作動アーム３ａやバケットシリンダ３ｂから伸縮するピストン３ｂ１等を操作するだけで固定アゴ側閉じ体１ａ３３と可動アゴ側閉じ体１ｂ３３とを手動で操作せずに挟持することが可能となり、アタッチメント取付け冶具１とアタッチメント２との連結作業を容易に行うことができる。
【００５９】
また、本考案に係る建設機械のアタッチメント取付け冶具１では、可動アゴ体１ｂには、可動アゴ側ピン収容部１ｂ３０に可動アゴ側ピンが収容されておらず、当該可動アゴ体１ｂが固定アゴ体１ａに自重でぶら下がっている状態では、可動アゴ側ピン収容部１ｂ３０の前後それぞれには当該可動アゴ側ピン収容部１ｂ３０から離れるにしたがって水平方向に対し下がるよう傾斜した可動アゴ側ピン案内面である可動アゴ側前ピン案内面１ｂ３５と可動アゴ側後ピン案内面１ｂ３６とを設けている。
【００６０】
そのため、可動アゴ体１ｂが可動アゴ部側ロックピン挿入孔１ｂ３４を中心に固定アゴ体１ａに回動可能な状態でぶら下がり、作業員が可動アゴ体１ｂの角度等を直接制御できないが、可動アゴ体１ｂを可動アゴ側連結ピン２ｂに近付けるように降下させた際に、可動アゴ側前ピン案内面１ｂ３５または可動アゴ側後ピン案内面１ｂ３６のいずれか一方が可動アゴ側連結ピン２ｂに当接すると、可動アゴ側前ピン案内面１ｂ３５または可動アゴ側後ピン案内面１ｂ３６によって可動アゴ側連結ピン２ｂが可動アゴ側ピン収容部１ｂ３０まで案内されるので、作業員が可動アゴ体１ｂを手動で操作しなくても可動アゴ側連結ピン２ｂを可動アゴ側ピン収容部１ｂ３０まで移動することができ、この点でもアタッチメント取付け冶具１とアタッチメント２との連結作業を効率化することができる。
【００６１】
尚、上記実施形態の説明では、回動軸が作動アーム側回動軸３ａ１およびピストン側回動軸３ｃ１の２つである２軸タイプ、つまり固定アゴ体１ａは作動アーム３ａ先端の作動アーム側回動軸３ａ１とピストン側リンク３ｃ先端のピストン側回動軸３ｃ１とを介して２点で回動可能に連結する一方、可動アゴ体３ｂはピストン側リンク３ｃ先端のピストン側回動軸３ｃ１を介して固定アゴ体１ａおよびピストン側リンク３ｃに対し回動可能に連結した２軸タイプの建設機械のアタッチメント取付け冶具１に適用して説明したが、本考案ではこれに限らず、例えば、上述の特許文献５の特許第６４３０６７１号公報の図１や図４等に示すように回動軸がアゴ体同士回動軸１ｃ（特許文献５の特許第６４３０６７１号公報の図１や図４等参照。）、作動アーム側回動軸３ａ１およびピストン側回動軸３ｃ１の３つである３軸タイプ、つまり固定アゴ体１ａと可動アゴ体１ｂとがアゴ体同士回動軸１ｃ（特許文献５の特許第６４３０６７１号公報の図１や図４等参照。）を介して回動可能に連結され、固定アゴ体１ａの他端部は作動アーム３ａ先端の作動アーム側回動軸３ａ１に連結する一方、可動アゴ体１ｂの他端部はピストン側リンク３ｃ先端のピストン側回動軸３ｃ１に連結するように構成した３軸タイプの建設機械のアタッチメント取付け冶具にも適用しても勿論良い。
【符号の説明】
【００６２】
１  アタッチメント取付け冶具
１ａ  固定アゴ体
１ａ１  固定側連結板
１ａ２  固定側水平基板
１ａ３  固定アゴ側フック板
１ａ３０  固定アゴ側ピン収容部
１ａ３１  固定アゴ側ピン挟持部
１ａ３２  固定アゴ側閉じ体用回動軸
１ａ３３  固定アゴ側閉じ体
１ａ３３ａ  固定アゴ側閉じ体ピン挟持部
１ａ３３ｂ  固定アゴ側閉じ体連結ピン案内面
１ａ３３ｃ  固定アゴ側閉じ体ピン当接部
１ａ３４  固定アゴ側ロックピン挿入孔
１ａ５，１ａ５  作動アーム側回動軸受部
１ｂ  可動アゴ体
１ｂ１  可動側連結部
１ｂ２  スライド基板
１ｂ３  可動アゴ側フック板
１ｂ３０  可動アゴ側ピン収容部
１ｂ３１  可動アゴ側ピン挟持部
１ｂ３２  可動アゴ側閉じ体用回動軸
１ｂ３３  可動アゴ側閉じ体
１ｂ３３ａ  可動アゴ側閉じ体ピン挟持部
１ｂ３３ｂ  可動アゴ側閉じ体ピン案内面
１ｂ３３ｃ  可動アゴ側閉じ体ピン当接部
１ｂ３４  可動アゴ側ロックピン挿入孔
１ｂ５，１ｂ５  ピストン側回動軸受部
２  アタッチメント
２ａ  固定アゴ側連結ピン
２ｂ  可動アゴ側連結ピン
３ａ  作動アーム
３ａ１  作動アーム側回動軸
３ｂ  バケットシリンダ
３ｂ１  ピストン
３ｃ  ピストン側リンク
３ｃ１  ピストン側回動軸
３ｄ  アームリンク
【図１】
0003232525.tif 000003
【図２】
0003232525.tif 000004
【図３】
0003232525.tif 000005
【図４】
0003232525.tif 000006
【図５】
0003232525.tif 000007
【図６】
0003232525.tif 000008
【図７】
0003232525.tif 000009
【図８】
0003232525.tif 000010